(57)【要約】  【課題】作業空間の遮蔽性と開放性とを調和させた机を提供する。  【手段】机３は背面パネル16とを備えており、背面パネル16は天板６の下方に位置した幕板部16ａを備えている。幕板部16ａの左右両縁部は脚７の背面にビスで固定されている。背面パネル16のうち天板６の上方に立ち上がった机上部の略左半部又は略右半部は後方に開放した切り開き部３８になっている。この机３は、例えば他の机１，２とセットで平面視コ字型のレイアウトで使用される。背面パネル16に切り開き部38が存在することにより、作業空間にある程度の開放性が確保される。また、背面パネル16に机上部が存在するため、作業等を集中して行えると共に、ハンガー等の備品の取付けも支障なく行える。【選択図】        図１
2006095061.tif 000002
【特許請求の範囲】
【請求項１】
少なくとも背面が平面視で直線状に延びている天板と、この天板を支持する左右の脚と、天板の上面を挟んだ上方と下方とに広がる幕板兼用の背面パネルとを備えており、
前記背面パネルのうち少なくとも天板の下方に位置した幕板部は天板の略全長にわたって延びる左右長さである一方、背面パネルのうち天板の上方に立ち上がった机上部は、机上空間の仕切り態様が左右方向に沿って一様ではなく部分的に切り開かれている、
机。
【請求項２】
前記背面パネルは１枚板状になっており、この背面パネルのうち机上部は、正面視で略左半部又は略右半部のうちいずれか一方が切り開き部となっていて、この切り開き部において机上空間は後方に開口している一方、
前記左右脚の背面と天板の背面とは同一面を成しており、前記背面パネルのうち膜板部を左右脚の背面にビスで固定している、
請求項１に記載した机。
【請求項３】
前記天板と背面パネルとは一体に固定されており、天板及び背面パネルは左右脚にビスで高さ調節可能又は高さ調節不能に取り付けられている、
請求項１又は２に記載した机。
【請求項４】
前記背面パネルは上下逆の姿勢又は左右逆の姿勢で配置することが可能ならしめられており、上下逆の姿勢にした状態で、背面パネルは天板から上方に全く又は少ししかはみ出ないように設定している、
請求項１〜３のうちの何れかに記載した机。
【発明の詳細な説明】
【技術分野】
【０００１】
本願発明は背面パネルを備えている机に関し、特に、複数の机からなる机システムを構成するのに好適な机に関するものである。
【背景技術】
【０００２】
机に、机上空間を仕切る背面パネルを設けることは広く行われている（例えば特許文献１参照）。そして従来の机の背面パネルは、正面視四角形に形成されており、左右長さは天板の長さと同じ寸法に設定している。従って、背面パネルの上端は天板の左右全長にわたって水平状に延びており、机上空間は一様な状態で後方空間と仕切られている。
【０００３】
また、天板と背面パネルとを脚に高さ調節可能に取り付けることも広く行われており、この場合、一般に、天板と背面パネルとはビス（ボルト）によって脚に個別に固定している。
【０００４】
他方、近年、複数の机を組み合わせた机システムが開発されている。その１つとして本願出願人は、特許文献１において、人が作業位置と姿勢とを変えて使用することにより、左脳的作業と右脳的作業と中間的作業との各々に適した環境を選択できる机システムを提案した。
【０００５】
すなわちこの机システムは、左脳的作業を行う天板と右脳的作業を行う天板と中間的作業を行う天板との３枚の天板を備え、かつ、各天板の背後にそれぞれ背面パネルを配置してなるものにおいて、各背面パネルの色彩や材質、質感、形状等の視覚的に把握できる要素を作業内容に適したものに選択したものである。
【特許文献１】実公昭５０−１１４４３号公報
【特許文献２】特開２００３−８２８７１号公報
【発明の開示】
【発明が解決しようとする課題】
【０００６】
背面パネルは、机上空間を仕切る目隠しの機能、棚やハンガー類その他の物品を取り付ける機能、紙類を仮り止めする機能などを持っているが、特に、目隠し機能が主であると言える。しかし、例えば児童が使用する机など、必ずしも机上空間を完全に仕切るのが好ましいとは言えない場合がある。
【０００７】
すなわち、児童が勉強等をしている場合、親は子供の勉強状態をある程度は把握しておきたい要望を持つものであり、逆に、児童にとっても親を確認できることは安心につながることがある。すなわち、ある程度のプライバシーを確保する遮蔽性は保持しつつ、コミュニケーションを取れるある程度の開放性を持たせたいとう要望が存在していると言える。また、作業空間を遮蔽し過ぎると圧迫感を与えることもある。
【０００８】
特に、特許文献２のように複数の机を平面視コ字型やＬ型のレイアウトに配置した机システムにおいては、それら各机に背面パネルを設けていると各机で囲われた空間が過度に遮蔽されてしまう虞がある。従って、複数の机から成る机システムでは、独立性（遮蔽性）と開放性（オープン性）とのバランスが特に求められると言える。
【０００９】
また、例えば机上で工作やプラモデルの組み立てのような手を使う作業を行う場合など、長い部材を使用することがあるが、この場合、背面パネルが天板の左右全長にわたって延びていると背面パネルが邪魔になって長い部材の部材の始末に困ることがあり、さりとて背面パネルを全く設けないと、物品が後方に転がり落ちやすい問題や、ハンガー等の備品を配置できなくなる問題が生じる。
【００１０】
また、背面パネルと天板とを脚にビスで固定した従来の机では、机を組み立てるには、例えば、左右脚を寝かせた状態にして天板を脚に固定し、次いで机を起こしてから、背面パネルを一人の人が持ち上げた状態を保持しつつ他の人が背面パネルをビスで脚に固定するという作業をしており、このため、背面パネルの取付けが厄介であった。天板及び背面パネルが高さ調節可能な机において天板や背面パネルの高さを変更する場合も、背面パネルの取付け・取り外しに際していちいち背面パネルを持ち上げて保持しておかねばならないため、高さ調節の作業も厄介であった。
【００１１】
本願発明は、このような実情を改善することを課題とするものである。
【課題を解決するための手段】
【００１２】
請求項１の発明は、少なくとも背面が平面視で直線状に延びている天板と、この天板を支持する左右の脚と、天板の上面を挟んだ上方と下方とに広がる幕板兼用の背面パネルとを備えている机において、前記背面パネルのうち少なくとも天板の下方に位置した幕板部は天板の略全長にわたって延びる左右長さである一方、背面パネルのうち天板の上方に立ち上がった机上部は、机上空間の仕切り態様が左右方向に沿って一様ではなく部分的に切り開かれている。
【００１３】
請求項２の発明は、請求項１において、前記背面パネルは１枚板状になっており、この背面パネルのうち机上部は、正面視で略左半部又は略右半部のうちいずれか一方が切り開き部となっていて、この切り開き部において机上空間は後方に開口している一方、前記左右脚の背面と天板の背面とは同一面を成しており、前記背面パネルのうち膜板部を左右脚の背面にビスで固定している。
【００１４】
請求項３の発明は、請求項１又は２において、前記天板と背面パネルとは一体に固定されており、天板及び背面パネルは左右脚にビスで高さ調節可能又は高さ調節不能に取り付けられている。
【００１５】
請求項４の発明は、請求項１〜３のうちの何れかにおいて、前記背面パネルは上下逆の姿勢又は左右逆の姿勢で配置することが可能ならしめられており、上下逆の姿勢にした状態で、背面パネルは天板から上方に全く又は少ししかはみ出ないように設定している。なお、この請求項４では、上下逆の姿勢と左右逆の姿勢との両方を可能な構成も含んでいる（すなわち、請求項４で「又は」の文言は及びを含む概念である）。
【発明の効果】
【００１６】
請求項１のように構成すると、机上空間が部分的に後方に開放されるため、例えば児童用に使用した場合、親と子供とが互いの存在を確認し合う状態を保持しつつ目隠し機能は保持して児童が勉強等に集中できるというように、遮蔽性と開放性とを調和させることができ、その結果、机を使用した作業を行うにおいて、作業能力の向上とコミュニケーションの確保とを両立できる。
【００１７】
特に、他の机とセットにして平面視コ字状やＬ字状や一文字状のレイアウトで使用する場合、特に好適であると言える。
【００１８】
また、他の机と組み合わせて使用するにおいて、机の配置レイアウトを変えると、本願発明の机の背面パネルが開放部を備えていることにより、机システム全体のイメージをがらりと変えることができ、このため、各机を使用するに際して雰囲気を変えて、使用者の脳を刺激して集中性を高めることが可能になる。このようなイメージを変えることは、請求項４のように背面パネルを付け替えることによっても達成できる。
【００１９】
また、工作等において長さの長い部材を使用する場合、その部材は天板を横切る姿勢にして背面パネルの切り開き部から後方にはみ出すように載置できる一方、机上面から落ちやすい物品は背面パネルの机上部の前に置くことで落下を防止でき、かつ、棚やハンガー、照明ライトのような備品・小物類は背面パネルの机上部を利用して取付けることができるため、使い勝手が良い。
【００２０】
背面パネルを部分的に切り開く態様は様々であるが、請求項２のように略左半部又は右半部を切り開く単純な構成にするのが好適であった。また、請求項２ように構成すると、背面パネルの幕板部によって左右の脚が固定されるため、机の全体として堅牢な構造になる利点がある。
【００２１】
請求項３のように構成すると、机を組み立てるに当たっては、背面パネルを寝かせると共に左右の脚も寝かせた状態にして、天板を左右の脚にビスで固定し、それから、天板に天板を掛けて手前に起こせば良い。このため、背面パネルを人が手で持ち上げておく必要がなく、机の組立が頗る楽である。また、天板及び背面パネルの高さを調節する場合も、背面パネルが寝るように机を後ろに倒してから天板と脚との相対位置をずらしてビスで固定し直せば良く、天板及び背面パネルの高さ調節も頗る楽である。
【００２２】
ところで、机に対する使用者の要求は様々であり、例えば、机上空間の全体を後方に開放させたオープンな状態で使用したいと欲する場合がある。この点、請求項４のように構成すると、背面パネルの姿勢を上下逆に変えることにより、背面パネルがある状態と、背面パネルが全く又は僅かの高さしかない状態とに切り換えることができるため、使用者の要請により的確に応えることができる。この場合は、背面パネルを上下逆の姿勢にして高さ変更可能な状態で配置できる構成にすると、特に好適であると言える。
【発明を実施するための最良の形態】
【００２３】
次に、本願発明の実施形態を図面に基づいて説明する。
【００２４】
(1).第１実施形態の概要
図１は全体の概略斜視図、図２は全体の平面図、図３は全体の正面図である。まず、これらの図に基づいて机システムの概要を説明する。本実施形態の机システムは、主として児童・生徒が使用するものを想定して設計されている（勿論、大人が使用することも可能である）。
【００２５】
本実施形態の机システムは、計算のような左脳的作業に適している第１机１（一方の机）と、プラモデルの組立や工作作業のような右脳的作業に適している第３机３と、パソコンＰの操作のように左脳的作業と右脳的作業との中間的作業に適している第２机２（他方の机）とを備えている。各机１，２，３はそれぞれ天板４，５，６を備えており、第１机１と第２机２とは平面視でＬ字状に配置されている。
【００２６】
従って、机システム全体としては平面視でコ字状の姿勢を成しており、各机で囲われた空間にキャスター付き椅子Ｃが配置されている。使用者は、その姿勢と位置とを変えることにより、各机１，２，３を任意に使用することができる。
【００２７】
以下の説明では、便宜的に、第１机１の天板４を第１天板４と、第２机２の天板５を第２天板５と、第３机３の天板６を第３天板６と称する。また、本明細書で便宜上「左・右・前・後」の文言を使用するが、これらの文言は、天板と対峙した姿勢（使用状態）の使用者を基準にしたものである（従って、第１机１と第３机３とでは左右は逆になる。）。
【００２８】
なお、机システムに袖抽斗（ワゴン）を併設する場合、いずれかの天板４，５，６の下方に配置するか、第１机１又は第３机３の外側に配置したら良い。
【００２９】
第１天板４及び第３天板６は左右横長の平面視長方形であり、他方、第２天板５は横長長方形に近い形態ながら前端面は平面視で前向き突状に緩く湾曲した形態になっている。第２天板５の右側端部（一側端部）は第１天板４の前面に当接しており、かつ、第１天板４の左側面と第２天板５の背面とは直線状に延びている。
【００３０】
本実施形態では、第１天板４と第２天板５と共に木製板の表面にメラミン樹脂層を貼着した構造であり、例えば、白や淡い灰色のように無彩色でかつ明度の高い落ち着いた色を採用している。他方、第３天板６は木製板で木目が表れたままになっている。各天板４，５，６は複数段に高さ調節できるが（詳細は後述する）、各天板４，５，６を最上段に位置させた状態で、第１天板４と第２天板５とは同じ高さとなり、第３天板６は第１天板４及び第２天板５よりも低い高さになるように設定している。このため、第３天板６を第２天板５（及び第１天板４）の下方に押し込むことができる。
【００３１】
各天板４，５，６の左右両側部は脚７で支持されている。各脚７は、木目が表れている板状の支柱部８と、その下端面にボルト９で締結された金属製の水平杆１０とを備えている。図２から理解できるように、第２机２における右脚７の水平杆１０は支柱部８の前後幅寸法とほぼ同じ短い長さになっており、他の脚７における水平杆１０は支柱部８から手前に大きく延びる長い長さになっている。
【００３２】
水平杆１０が支柱部８から手前に長く延びているのは机の安定を確保するためであり、他方、第２机２における右脚７の水平杆１０が短いのは、着座状態の使用者の足と干渉することを回避するためである（特に、第１机１と第２机２とを使い変えるに際して移動したり姿勢を変えたりする場合の干渉を回避するためである）。
【００３３】
第２机２の右脚７の水平杆１０を短くしたことに起因した第２机２の安定性低下を回避するため、第１天板４と第２天板５とは、両者の下面に跨がって延びる連結具１１にて連結しているが、本実施形態では、連結具１１として脚の水平杆１０を兼用している。
【００３４】
第３机３の水平杆１０にはそれぞれ前後一対ずつのキャスター１２を設けている。このため第３机３は使用者が押し引きすることで位置・姿勢を簡単に変えることができる。キャスター１２が床に接地した状態で、第３机３の水平杆１０は第２机２（及び第１机１）の水平杆１０よりも高い高さになるように設定している。このため、第３机３は第２机２の内部空間に部分的に入り込ませることができる。
【００３５】
各支柱部８の前後幅寸法は天板４，５，６の前後幅の略半分程度の寸法であり、各天板４，５，６の後半部に支柱部８が嵌まり込む外向き開口の切り開き部１３を形成し、このため、支柱部８の外面と天板４，５，６の左右端面とは同一面を成している。支柱部８と天板４，５，６の背面とは同一面を成している。
【００３６】
各机１，２，３は天板４，５，６の背面部に固定された背面パネル１４，１５，１６を備えている。第１机１と第２机２の背面パネル１４，１５は天板４，５の横幅の略全長にわたって延びており、かつ、天板４，５よりも下方にも延びている。
【００３７】
第２天板５の右端面を第１机天板４の前端面に当てているため、第１机１と第２机２の背面パネル１４，１５の間には、第１机１の天板４の幅寸法の間隔の空間が空いている。そして、この空間の全部又は大部分を仕切るサイドパネル１７が第１机１の背面パネル１４に取付けられている。
【００３８】
各背面パネル１３，１４，１５には、オプション品としての棚１８やハンガー１９類を着脱自在に吊懸けることができる。各天板４，５，６の背面部の左右中間部には電源等のケーブルを引き出すための切欠き２０を形成しており、この切欠き２０を利用して、クランプ固定式の灯具２１を取付けることができるようになっている。
【００３９】
(2).第２机の脚と天板と背面パネル
次に、図４も参照して、第１机１及び第２机における天板４，５と脚７との固定構造等を説明する。図４は第１天板４と脚７との関係を示す分離斜視図である。
【００４０】
図４から理解できるように、支柱部８と第１天板４とは木製でブロック状の補強材（ブラケット）２３を介して固定されている。補強材２３は脚７の支柱部８と略同じ程度の前後長さであり、ダボピン２４及びビス２５によって第１天板４の左右側部の下面に離反不能に固定されており、補強材２３は、脚７の支柱部８に外側から貫通した前後２本のビス２６により、支柱部８に締結されている。
【００４１】
この場合、支柱部８にはビス２６の取付け穴２７の対が適宜間隔で複数段（図では６段）形成されている一方、補強材２３には、ビス２６がねじ込まれる鬼目ナット２８とピン穴２９との対を上下に隔てて設けている。鬼目ナット２８とピン穴２９′との上下間隔は取付け穴２６の間隔と同じであり、ピン穴２９′と取付け穴２６とに位置決めピン２９を挿入している。第２天板５と脚７との固定構造は第１机１と全く同じである。
【００４２】
第１机１及び第２机２の背面パネル１４，１５は、角形鋼管で正面視四角形に形成したフレーム３０に布製等の表皮材３１を巻いた構造になっており、フレーム３０をビス３２で支柱部８の背面に高さ調節可能に締結している。図示していないが、表皮材３１はファスナーによって筒状に保持されており、ファスナーを開閉させることによってフレーム３０に簡単に着脱できる。
【００４３】
第１机１における背面パネル１４の表皮材３１は、例えば、グリーンやブルーのような寒色系の有彩色を採用している。これは、左右的作業に適した視覚環境を実現するためである。他方、第２机２における背面パネル１５の表皮材３１は、例えば白又は薄い灰色のような無彩色で明度の高い色を採用している。
【００４４】
サイドパネル１７は、横長のハンガー（バー）３３に布製の仕切幕３４を吊懸けたスクリーン状の形態であり、ハンガー３３の基端にはブラケットを介してフレーム３０にビスで締結されている。仕切幕３４は第１背面パネル１４の表皮材３１と同色・同素材である。第１天板４と第２天板５とは共に白系統（薄い鼠色）の無彩色としている。
【００４５】
(3).第３机の詳細
次に、図５以下の図面も参照して第３机３について説明する。図５は各部材を分離した状態の分離斜視図、図６は天板６と背面パネル１６とを固定した状態での脚７との分離斜視図、図７は机を後向きに倒して寝かせた状態の側面図、図８は背面パネル１６を上下逆に付け替えた状態での背面図である。
【００４６】
第３机３の天板６は平面視略長方形であり、第３天板６と脚７との固定構造は第１天板４及び第２天板５と脚７との固定構造と基本的には同じである。但し、第３机３においては例えば工作に際して体重をかけて部材を机上面に押さえつけるというように大きな荷重が掛かることがあるため、締結強度をアップすべく、補強材２３は天板６の前端近傍まで長く延びる長さであり、また、ダボピン２４、位置決めピン２９及び締結用ビス２６の本数を増やしている。第３天板６の下面には抽斗３５を設けている。
【００４７】
第３机３の背面パネル１６は、木目が露出した木板（合板を含む）の１枚から成っており、天板６の下方に位置した幕板部１６ａを備えている。幕板部１６ａは天板６と略同じ左右長さであり、その左右端部は脚７の左右支柱部８の背面に重なっており、左右端部の下部が第１ビス３６で支柱部８の背面に固定されている。
【００４８】
脚６における支柱部８の背面には、第１ビス３６がねじ込まれる鬼目ナット３７が上下適宜間隔で複数個（６個）埋設されている。従って、背面パネル１６は段階的に高さ調節をすることができる。天板６を支柱部８に固定するための取付け穴２７のピッチと背面パネル１６を固定するための鬼目ナット３７のピッチとは同じ寸法に設定されている。
【００４９】
背面パネル１６のうち天板６の上方に立ち上がった机上部は、略右半部が後方に開放された切り開き部（開放部と言っても良い）３８になっている。切り開き部３８の箇所で幕板部１６ａの上面と天板６の上面とが同一面を成している。そして、背面パネル１６の幕板部１６ａが左右の補強材２３の背面に第２ビス３９及び位置決めピン４０で固定されている（第２ビス３９だけでも良い）。補強材２３の背面には第２ビス３９がねじ込まれる鬼目ナット４１を埋設している。
【００５０】
次に、第３机３の組立手順を説明する。この第３机３は左右の脚７と天板６と背面パネル１６とが分離して梱包・発送され、使用場所（例えば家庭）で組立られる。組立に際しては、まず、天板６と背面パネル１６とを固定する。この固定作業は、天板６を鉛直状に立てた姿勢にしてその上面に背面パネル１６を重ね、第２ビス３９で補強材２３の鬼目ナット４１にねじ込むことで行われる。
【００５１】
この場合は、背面パネル１６に切り開き部３８が存在するため、例えば、天板６の右半部を建物の壁に重ねた状態で立てることによって天板６の姿勢を保持、その状態で背面パネル１６を重ねてねじ込み作業を行うことができるため、固定作業を容易に行うことができる。
【００５２】
次いで、図３に示すように、背面パネル１６が床に密着するように机３を寝かせて（倒して）、この状態で左右の脚７を補強材２３にビス２６で固定する。この状態で天板６及び背面パネル１６は安定した状態に保持されているため、脚７の固定作業は頗る楽である。
【００５３】
次いで、天板６の前端縁に手を掛けて第３机３を通常の姿勢に引き起こす。この場合、脚７き後端を支点にして簡単に起こすことができる。それから、背面パネル１６を支柱部８の背面にビス・で固定する。以上のように、各部材の姿勢保持や机の引き起こしを簡単に行えるため、組立作業は大人なら一人で簡単に行える。
【００５４】
天板６及び背面パネル１６の高さを変更する場合は、先ず、第２ビス３９を取り外し、次いで、机３を後ろに倒して寝かせ、その状態で脚７の位置を変更し、次いで机３を起こし、それから背面パネル１６を脚７にビス２６で固定したら良い。このことから理解できるように、天板６及び背面パネル１６の高さの変更に際してそれら天板６や背面パネル１６を一々で手で持って保持しておく必要はないため、簡単かつ安全にしかも迅速に高さの変更を行えるのである。
【００５５】
なお、第３机３の背面パネル１６には、ハンガー１９の他に、クリップ式ライトやホワイトボード、ピンナップボード、小棚類を取付けることができる。図６に二点鎖線で示すように、背面パネル１６の切り開き部１６ａを天板６よりも若干上方に位置させることも可能である。
【００５６】
図８に示すように、背面パネル１６は上下逆にして脚７に固定することができる。この場合、背面パネル１６の幕板部１６ａに取付け穴４２を空けているが、通常の使用状態で取付け穴４２は天板６の下方に位置していて外部から視認できないので、美感が悪化する問題はない。図示していないが、背面パネル１６を左右姿勢を変えて（換言すると上下はそのままで表裏を変える）取付けることも可能である。このように左右姿勢を変えることにより、第１机１と第３机３とを入れ替えた場合の対処を簡単に行える。
【００５７】
本実施形態では背面パネル１６を上下逆の姿勢にした場合、最も低くした状態で背面パネル１６が天板６から若干の寸法（例えば１０ｃｍ程度）上方にはみ出ているが、全くはみ出ないように上下高さ寸法を設定しても良いのである。また、背面パネル１６は表裏を逆にしてかつ上下逆の姿勢で付け替えることも可能であり、このように左右の姿勢も変えると、椅子に座って作業を行う場合、使用者が足を伸ばしたときに邪魔にならないように切り開き部３８の位置を選択することが可能になる。
【００５８】
なお、補強材２３は金属板製であっても良い。また、補強材２３を使用せずに天板６と脚７とを直接にビス類で締結したり、天板６の背面に背面パネル１６をビス類で直接て締結することも可能である）。また、支柱部８は必ずしも板状に形成する必要はなく、例えば側面視四角形のフレーム構造とすることなども可能である。
【００５９】
本実施形態のように、第２天板５と第３天板６とを平面視で部分的に重ね合わせる構造とする場合、第３天板６の下方に第２天板５が入り込むように両天板４，５，６の高さを設定することも可能であるが、第３机３で例えば工作を行うにおいてねじ込み作業や部材の嵌め合わせ作業等において人が机上に置いた部材に体重を掛けて押圧する場合があるため、第３天板６の高さを低くした方が使い勝手が良いと言える。
【００６０】
(4).その他
上記した実施形態のように第１〜第３の机をセットにして机システムとして使用する場合、第１机と第３机との位置を置き換えたり、第１机と第２机との位置を置き換える、或いは第２机天板と第３机天板とを左右に並設する、更には各机天板を左右一文字状に並設する（並び順序には任意に選択できる）など、レイアウトは自由に設定できる。このレイアウトの変更により、机システムのイメージをがらりと変えて、各机を使用するにおいて脳を刺激し、作業能率をアップを図ることができる。
【００６１】
特に、本実施形態では、第３机３の背面パネル１６に切り開き部３８があることや、第１机１がサイドパネル１７を備えていることが相俟って、レイアウトの変更による机システムのイメージ変更がより刺激的なものとなる。
【００６２】
なお、各机の天板は木製には限らず金属板製（スチール製）とすることも可能であり、また、第１及び第２の背面パネルを木板（合板を含む）製や金属板製とすることも可能である。
【００６３】
背面パネルに切り開き部を形成する態様としては、背面パネルの左右中間部に机上部を設けてその左右両側に切り開き部を形成する（すなわち、背面パネルを正面視で凸形に形成す）ことや、背面パネルの適宜部位に正面視四角形な円形等の適宜形状の大きなくり抜き穴を空けること、或いは上向きに開口した形状に形成することなど、デザイン等の要請に応じて自由に選択することができる。
【００６４】
また、本明細書及び図面で開示した各発明は、それぞれ独自に請求項となすことが可能である。実施形態で示した第１机及び第２机とも、天板と背面背面パネルとをビスで固定した構造にすることも可能である。
【図面の簡単な説明】
【００６５】
【図１】第１実施形態を示す図で、 (A)は全体の概略斜視図、 (B)は部分的な平面図である。
【図２】全体の平面図である。
【図３】全体の正面図である。
【図４】天板と脚との関係を示す分離斜視図である。
【図５】第３机において、各部材を分離した状態の分離斜視図である。
【図６】第３机において、天板と背面パネルとを固定した状態での脚との分離斜視図である。
【図７】第３机において、机を寝かせた状態の側面図である。
【図８】第３机において、背面パネルを上下逆に付け替えた状態での背面図である。
【符号の説明】
【００６６】
１，２  他の机
３  本願実施形態の机
６  天板
７  脚
８  支柱部
１６  背面パネル
１６ａ  幕板部
３８  切り開き部
【図１】
2006095061.tif 000003
【図２】
2006095061.tif 000004
【図３】
2006095061.tif 000005
【図４】
2006095061.tif 000006
【図５】
2006095061.tif 000007
【図６】
2006095061.tif 000008
【図７】
2006095061.tif 000009
【図８】
2006095061.tif 000010